(57)【特許請求の範囲】
【請求項１】
金銭の値引きサービスを受ける値引き券に還元できるポイント情報を記憶する記憶部を有するとともに、カード表面に所定の情報を印刷可能な表示部を形成してなるリライトカードの記憶部に対する情報の書込み、読出し及び前記表示部に対する情報の印刷を行なうリライトカードリーダ・ライタを備え、商品販売取引の会計処理を行なうとともに、その会計処理を行なった商品販売取引のデータに基づいて前記リライトカードリーダ・ライタにより前記リライトカードの記憶部に記憶されたポイント情報を更新する会計処理装置において、
前記ポイント情報が示すポイントを前記値引き券に還元するための値引き基準ポイントとこの値引き基準ポイントから還元される値引き金額とが設定された値引き基準テーブルを記憶する手段と、
前記リライトカードの記憶部に設けられているポイント情報記憶エリア及び値引き限度額情報記憶エリアから記憶されているポイント情報及び値引き限度額を示す情報を前記リライトカードリーダ・ライタにより取得する手段と、
前記リライトカードリーダ・ライタにより前記リライトカードの記憶部のポイント情報記憶エリアから取得したポイント情報を記憶する手段と、
前記リライトカードリーダ・ライタにより前記リライトカードの記憶部の値引き限度額情報記憶エリアから取得した値引き限度額を示す情報を記憶する手段と、
会計処理の締め処理を行うことを宣言するための締めキーの入力を検知すると、前記商品販売取引される商品の合計金額から今回のポイントを算出する手段と、
前記締めキーの入力検知により算出された今回のポイントを、前記ポイント情報を記憶する手段に記憶したポイント情報が示すポイントに加算して新たなポイント情報として記憶し直す手段と、
前記今回のポイントを加算して記憶し直した新たなポイント情報が示すポイントが前記値引き基準テーブルに設定された基準ポイントを超えている場合に、前記値引き限度額を示す情報を記憶する手段に記憶された値引き限度額に前記値引き基準テーブルに設定された値引き金額を加算し、その加算された値引き限度額を示す情報を新たな値引き限度額を示す情報として前記値引き限度額を示す情報を記憶する手段に記憶し直すとともに、前記ポイント情報を記憶する手段に記憶し直した新たなポイント情報が示すポイントから前記基準ポイントを減じ、その減じられたポイントを更に新たなポイント情報として前記ポイント情報を記憶する手段に記憶し直す値引き限度額算出手段と、
この値引き限度額算出手段により前記値引き限度額を示す情報を記憶する手段に記憶し直された新たな値引き限度額を示す情報で示される値引き限度額を前記リライトカードリーダ・ライタにより前記リライトカードの表示部に、前記リライトカードの記憶部の値引き限度額情報記憶エリアより取得した値引き限度額を示す情報で示される値引き限度額の代わりに書き換えて印刷させる値引き限度額印刷制御手段と、
前記値引き限度額算出手段により前記ポイント情報を記憶する手段に記憶し直した更に新たなポイントを示すポイント情報を前記リライトカードリーダ・ライタにより前記リライトカードの記憶部のポイント情報記憶エリアに書き込む手段と、
前記値引き限度額算出手段により前記値引き限度額を示す情報を記憶する手段に記憶し直した新たな値引き限度額を示す情報を前記リライトカードリーダ・ライタにより前記リライトカードの記憶部の値引き限度額情報記憶エリアに書き込む手段とを備えたことを特徴とする会計処理装置。
【請求項２】
金銭の値引きサービスを受ける値引き券に還元できるポイント情報を記憶する記憶部を有するとともに、カード表面に所定の情報を印刷可能な表示部を形成してなるリライトカードの記憶部に対する情報の書込み、読出し及び前記表示部に対する情報の印刷を行なうリライトカードリーダ・ライタを備え、商品販売取引の会計処理を行なうとともに、その会計処理を行なった商品販売取引のデータに基づいて前記リライトカードリーダ・ライタにより前記リライトカードの記憶部に記憶されたポイント情報を更新する会計処理装置において、
前記ポイント情報が示すポイントを前記値引き券に還元するための値引き基準ポイントとこの値引き基準ポイントから還元される値引き金額とが設定された値引き基準テーブルを記憶する手段と、
前記リライトカードの記憶部に設けられているポイント情報記憶エリア及び値引き限度額情報記憶エリアから記憶されているポイント情報及び値引き限度額を示す情報を前記リライトカードリーダ・ライタにより取得する手段と、
前記リライトカードリーダ・ライタにより前記リライトカードの記憶部のポイント情報記憶エリアから取得したポイント情報を記憶する手段と、
前記リライトカードリーダ・ライタにより前記リライトカードの記憶部の値引き限度額情報記憶エリアから取得した値引き限度額を示す情報を記憶する手段と、
会計処理の締め処理を行うことを宣言するための締めキーの入力検知による締め処理が実行されるまでに、前記商品の合計金額に対する値引き額を受け付ける値引き額受付手段と、
この値引き額受付手段により値引きを受付けるとその値引き額が前記商品の合計金額以下であるか否かを判断する手段と、
この値引き額を示す情報を記憶する手段に記憶された値引き額が前記商品の合計金額以下であるか否かを判断する手段により前記値引き額が前記商品の合計金額以下であると判断した場合に、前記値引き限度額を示す情報を記憶する手段に記憶した値引き限度額を示す情報で示される値引き限度額から前記値引き額を減算し、その減算された値引き限度額を示す情報を前記値引き限度額を示す情報を記憶する手段に記憶し直す手段と、
前記締めキーの入力を検知すると、前記商品の合計金額から今回のポイントを算出する手段と、
前記締めキーの入力検知により算出された今回のポイントを、前記ポイント情報を記憶する手段に記憶したポイント情報が示すポイントに加算して新たなポイント情報として記憶し直す手段と、
前記今回のポイントを加算して記憶し直した新たなポイント情報が示すポイントが前記値引き基準テーブルに設定された基準ポイントを超えている場合に、前記値引き限度額を示す情報を記憶する手段に記憶された値引き限度額に前記値引き基準テーブルに設定された値引き金額を加算し、その加算された値引き限度額を示す情報を新たな値引き限度額を示す情報として前記値引き限度額を示す情報を記憶する手段に記憶し直すとともに、前記ポイント情報を記憶する手段に記憶し直した新たなポイント情報が示すポイントから前記基準ポイントを減じ、その減じられたポイントを更に新たなポイント情報として前記ポイント情報を記憶する手段に記憶し直す値引き限度額算出手段と、
この値引き限度額算出手段により前記値引き限度額を示す情報を記憶する手段に記憶し直した新たな値引き限度額を示す情報で示される値引き限度額を前記リライトカードリーダ・ライタにより前記リライトカードの表示部に、前記リライトカードの記憶部の値引き限度額情報記憶エリアより取得した値引き限度額を示す情報で示される値引き限度額の代わりに書き換えて印刷させる値引き限度額印刷制御手段と、
前記値引き限度額算出手段により前記ポイント情報を記憶する手段に記憶し直した更に新たなポイントを示すポイント情報を前記リライトカードリーダ・ライタにより前記リライトカードの記憶部のポイント情報記憶エリアに書き込む手段と、
前記値引き限度額算出手段により前記値引き限度額を示す情報を記憶する手段に記憶し直した新たな値引き限度額を示す情報を前記リライトカードリーダ・ライタにより前記リライトカードの記憶部の値引き限度額情報記憶エリアに書き込む手段とを備えたことを特徴とする会計処理装置。
【発明の詳細な説明】
【０００１】
【発明の属する技術分野】
本発明は、一般小売店やレストランなどで会計時の値引きサービスを行なうときに利用するリライトカードのポイントを読取り、或いはポイントを書込むためのリライトカードリーダ・ライタを接続してなる会計処理装置に関する。
【０００２】
【従来の技術】
従来より、一般の小売店やレストランなどの店舗における顧客サービスの１つとして、各顧客にリライトカードを発行し、顧客が会計時に支払った会計金額に応じたポイントをその顧客のリライトカード上で貯え、一定ポイント以上溜まると値引き券に還元できるサービスが知られている。そして、このようなサービスを実現する会計処理装置として、リライトカードの記憶部に対して情報の書込みや読出しを行なうとともに、カード表面の表示部に対して情報の印刷を行なう機能を有したリライトカードリーダ・ライタを備えた会計処理装置が開発され実用化されている。
【０００３】
従来のこの種の会計処理装置は、商品販売取引の会計処理のときにその商品販売取引のデータに基づいて今回ポイントを算出し、この今回ポイントをリライトカードから読取った前回までの累計ポイントに加算する。そして、加算後の累計ポイントが予め設定されている基準ポイントを超えたか否かを判断し、超えていなければリライトカードのポイント情報を今回ポイント加算後の累計ポイントに書換えるが、超えていた場合には今回ポイント加算後の累計ポイントから基準ポイント分を減算したポイントに書換える。また、一定金額を値引きするための値引き券をレシート用紙に印字し発行するものとなっていた。また、レシート用紙で値引き券を発行するのに代えて値引き券の発行を促す表示をキャッシャに対して行なうようにし、キャッシャが予め用意してある値引き券を顧客に渡す場合もあった。
【０００４】
顧客はこのようにして発行された値引き券を次回来店するときに持ってきて、会計時などに値引き券をキャッシャに提示する。すると、キャッシャは会計処理装置を操作して商品販売取引の代金から値引き券の額面金額分の値引きを行なう。このようにして顧客は値引きサービスを受けていた。
【０００５】
【発明が解決しようとする課題】
しかしながら、累計ポイントが所定の基準ポイントを超えると値引き券を発行する従来のシステムでは、顧客が次回の買物の際に値引き券を持ってくるのを忘れたり、紛失してしまったりすると値引きサービスが受けられないという問題があった。また、たとえ値引き券を持っていても、商品販売取引の代金が値引き券の額面金額より少ない場合には値引き券を使用できない、若しくは使用した場合には額面金額より少ない値引きしか得られないという問題もあった。
【０００６】
本発明は上記事情に鑑みてなされたものであって、その目的は、金銭の値引きサービスを受けるためのポイント情報を記憶したリライトカードを所持してさえいればそのリライトカードに記憶されたポイント情報に応じた値引きサービスを確実に受けることができる会計処理装置を提供することにある。
【０００７】
【課題を解決するための手段】
請求項１記載の発明は、金銭の値引きサービスを受ける値引き券に還元できるポイント情報を記憶する記憶部を有するとともに、カード表面に所定の情報を印刷可能な表示部を形成してなるリライトカードの記憶部に対する情報の書込み、読出し及び表示部に対する情報の印刷を行なうリライトカードリーダ・ライタを備え、商品販売取引の会計処理を行なうとともに、その会計処理を行なった商品販売取引のデータに基づいてリライトカードリーダ・ライタによりリライトカードの記憶部に記憶されたポイント情報を更新する会計処理装置において、ポイント情報が示すポイントを値引き券に還元するための値引き基準ポイントとこの値引き基準ポイントから還元される値引き金額とが設定された値引き基準テーブルを記憶する手段と、リライトカードの記憶部に設けられているポイント情報記憶エリア及び値引き限度額情報記憶エリアから記憶されているポイント情報及び値引き限度額を示す情報をリライトカードリーダ・ライタにより取得する手段と、リライトカードリーダ・ライタによりリライトカードの記憶部のポイント情報記憶エリアから取得したポイント情報を記憶する手段と、リライトカードリーダ・ライタによりリライトカードの記憶部の値引き限度額情報記憶エリアから取得した値引き限度額を示す情報を記憶する手段と、会計処理の締め処理を行うことを宣言するための締めキーの入力を検知すると、商品販売取引される商品の合計金額から今回のポイントを算出する手段と、締めキーの入力検知により算出された今回のポイントを、ポイント情報を記憶する手段に記憶したポイント情報が示すポイントに加算して新たなポイント情報として記憶し直す手段と、今回のポイントを加算して記憶し直した新たなポイント情報が示すポイントが値引き基準テーブルに設定された基準ポイントを超えている場合に、値引き限度額を示す情報を記憶する手段に記憶された値引き限度額に値引き基準テーブルに設定された値引き金額を加算し、その加算された値引き限度額を示す情報を新たな値引き限度額を示す情報として値引き限度額を示す情報を記憶する手段に記憶し直すとともに、ポイント情報を記憶する手段に記憶し直した新たなポイント情報が示すポイントから基準ポイントを減じ、その減じられたポイントを更に新たなポイント情報としてポイント情報を記憶する手段に記憶し直す値引き限度額算出手段と、この値引き限度額算出手段により値引き限度額を示す情報を記憶する手段に記憶し直された新たな値引き限度額を示す情報で示される値引き限度額をリライトカードリーダ・ライタによりリライトカードの表示部に、リライトカードの記憶部の値引き限度額情報記憶エリアより取得した値引き限度額を示す情報で示される値引き限度額の代わりに書き換えて印刷させる値引き限度額印刷制御手段と、
値引き限度額算出手段によりポイント情報を記憶する手段に記憶し直した更に新たなポイントを示すポイント情報をリライトカードリーダ・ライタによりリライトカードの記憶部のポイント情報記憶エリアに書き込む手段と、値引き限度額算出手段により値引き限度額を示す情報を記憶する手段に記憶し直した新たな値引き限度額を示す情報をリライトカードリーダ・ライタによりリライトカードの記憶部の値引き限度額情報記憶エリアに書き込む手段とを備えたものである。
【０００８】
請求項２記載の発明は、金銭の値引きサービスを受ける値引き券に還元できるポイント情報を記憶する記憶部を有するとともに、カード表面に所定の情報を印刷可能な表示部を形成してなるリライトカードの記憶部に対する情報の書込み、読出し及び表示部に対する情報の印刷を行なうリライトカードリーダ・ライタを備え、商品販売取引の会計処理を行なうとともに、その会計処理を行なった商品販売取引のデータに基づいてリライトカードリーダ・ライタによりリライトカードの記憶部に記憶されたポイント情報を更新する会計処理装置において、ポイント情報が示すポイントを値引き券に還元するための値引き基準ポイントとこの値引き基準ポイントから還元される値引き金額とが設定された値引き基準テーブルを記憶する手段と、リライトカードの記憶部に設けられているポイント情報記憶エリア及び値引き限度額情報記憶エリアから記憶されているポイント情報及び値引き限度額を示す情報をリライトカードリーダ・ライタにより取得する手段と、リライトカードリーダ・ライタによりリライトカードの記憶部のポイント情報記憶エリアから取得したポイント情報を記憶する手段と、リライトカードリーダ・ライタによりリライトカードの記憶部の値引き限度額情報記憶エリアから取得した値引き限度額を示す情報を記憶する手段と、会計処理の締め処理を行うことを宣言するための締めキーの入力検知による締め処理が実行されるまでに、商品の合計金額に対する値引き額を受け付ける値引き額受付手段と、この値引き額受付手段により値引きを受付けるとその値引き額が商品の合計金額以下であるか否かを判断する手段と、この値引き額を示す情報を記憶する手段に記憶された値引き額が商品の合計金額以下であるか否かを判断する手段により値引き額が商品の合計金額以下であると判断した場合に、値引き限度額を示す情報を記憶する手段に記憶した値引き限度額を示す情報で示される値引き限度額から値引き額を減算し、その減算された値引き限度額を示す情報を値引き限度額を示す情報を記憶する手段に記憶し直す手段と、締めキーの入力を検知すると、商品の合計金額から今回のポイントを算出する手段と、締めキーの入力検知により算出された今回のポイントを、ポイント情報を記憶する手段に記憶したポイント情報が示すポイントに加算して新たなポイント情報として記憶し直す手段と、今回のポイントを加算して記憶し直した新たなポイント情報が示すポイントが値引き基準テーブルに設定された基準ポイントを超えている場合に、値引き限度額を示す情報を記憶する手段に記憶された値引き限度額に値引き基準テーブルに設定された値引き金額を加算し、その加算された値引き限度額を示す情報を新たな値引き限度額を示す情報として値引き限度額を示す情報を記憶する手段に記憶し直すとともに、ポイント情報を記憶する手段に記憶し直した新たなポイント情報が示すポイントから基準ポイントを減じ、その減じられたポイントを更に新たなポイント情報としてポイント情報を記憶する手段に記憶し直す値引き限度額算出手段と、この値引き限度額算出手段により値引き限度額を示す情報を記憶する手段に記憶し直した新たな値引き限度額を示す情報で示される値引き限度額をリライトカードリーダ・ライタによりリライトカードの表示部に、リライトカードの記憶部の値引き限度額情報記憶エリアより取得した値引き限度額を示す情報で示される値引き限度額の代わりに書き換えて印刷させる値引き限度額印刷制御手段と、値引き限度額算出手段によりポイント情報を記憶する手段に記憶し直した更に新たなポイントを示すポイント情報をリライトカードリーダ・ライタによりリライトカードの記憶部のポイント情報記憶エリアに書き込む手段と、値引き限度額算出手段により値引き限度額を示す情報を記憶する手段に記憶し直した新たな値引き限度額を示す情報をリライトカードリーダ・ライタによりリライトカードの記憶部の値引き限度額情報記憶エリアに書き込む手段とを備えたものである。
【０００９】
【発明の実施の形態】
以下、本発明の第１及び第２の実施の形態について図面を参照して説明する。
（第１の実施の形態）
図１は第１の実施の形態における会計処理装置の外観を示す斜視図である。１は電子式キャッシュレジスタ、２はリライトカードリーダ・ライタを示し、電子式キャッシュレジスタ１とリライトカードリーダ・ライタ２はシリアルケーブル３により接続されている。
【００１０】
電子式キャッシュレジスタ１には、店用表示部４、客用表示部５、ドロワ６、キーボード７、レシート発行口８が設けられている。また、リライトカードリーダ・ライタ２にはリライトカードの挿入、排出を行なう挿排出口９が設けられている。
【００１１】
図２は電子式キャッシュレジスタ１の制御ブロック図である。１１は制御部本体としてのＣＰＵ（中央処理装置）、１２はこのＣＰＵ１１に実行させるプログラムなどが記憶されたＲＯＭ（リード・オンリー・メモリ）、１３はワークエリアなどの各種エリアが形成されたＲＡＭ（ランダム・アクセス・メモリ）、１４は店用表示部４の表示を制御する店用表示制御部、１５は客用表示部５の表示を制御する客用表示制御部、１６はドロワ６を開放するドロワ開放機構１７を制御するドロワ開放機構制御部、１８はキーボード７からの入力を制御するキーボード制御部、１９はレシート発行口８から発行するレシートの印字を行なう印字部２０を制御する印字制御部、２１はシリアルＩ／Ｆ（インターフェース）である。
【００１２】
また、前記ＣＰＵ１１には、ＲＯＭ１２、ＲＡＭ１３、店用表示制御部１４、客用表示制御部１５、ドロワ開放機構制御部１６、キーボード制御部１８、印字制御部２０、シリアルＩ／Ｆ２１がバスライン２２で接続されている。
【００１３】
前記ＲＯＭ１２には、ポイントに対する値引き金額を設定するための値引き基準テーブルが記憶されている。この値引き基準テーブル２３は図３に示すように、「１００Ｐ（ポイント）」毎に値引き金額は「５００円」となるように設定されている。また、商品購入金額がいくらで１ポイントが与えられるかを設定するテーブルやリライトカードに印刷する値引き金額がないときに印刷するためのコマーシャルメッセージなども記憶されている。
【００１４】
前記キーボード７には、値引きを行なうことを宣言するための「値引き」キー、会計の締め処理を行なうことを宣言するための「締め」キー、各処理を終了させるための「ＲＴＮ」キー、数値を入力するための「数値」キーなどが設けられている。
【００１５】
前記ＲＡＭ１３のワークエリアには、締め処理が実行されるまでに「値引き」キーの入力された回数を記憶するエリア、顧客が望む値引き金額を置数するためのエリア、リライトカードから読込んだ総ポイント情報を記憶するエリア、値引き限度額情報を記憶するエリアなどが設けられている。
【００１６】
図４はリライトカードリーダ・ライタ２の制御ブロック図である。３１はシリアルＩ／Ｆ、３２はリライトカードのカード表面に形成された表示部への印刷を行なう印刷部３３を制御する印刷制御部、３４はリライトカードの記憶部から情報の読取りを行なう読取り部３５を制御する読取り制御部、３６はリライトカードの記憶部に情報の書込みを行なう書込み部３７を制御する書込み制御部、３８はリライトカードを挿排出口８から挿入し、又は排出する挿排出機構３９を制御する排出機構制御部である。
【００１７】
前記シリアルＩ／Ｆ３１は、印刷制御部３２、読取り制御部３４、書込み制御部３６、排出機構制御部３８とバスライン４０を介して接続され、また、前記シリアルＩ／Ｆ１９とは前記シリアルケーブル３で接続されている。
【００１８】
このリライトカードリーダ・ライタ２は前記ＣＰＵ１１からの命令により制御され、挿排出口９に挿入されたリライトカードの記憶部に記憶された情報の読み出し、同記憶部への情報の書込み及びリライトカードの表示部への印刷などを行なうようになっている。
【００１９】
図５は前記リライトカードリーダ・ライタ２に使用するリライトカードの印刷例を示す図である。リライトカード４１は、図中破線で示す表示部４２の領域に顧客番号や顧客名などが印刷されると共に今回のポイント「２０Ｐ」及び総ポイント「８０Ｐ」が印刷されている。また、コマーシャルメッセージ「ありがとうございます」が印刷されている。このリライトカード４１の下部には記憶部４３が備えられ、この記憶部４３には総ポイントを示す総ポイント情報「８０」を記憶するエリア４３ａ及び値引き限度額を示す値引き限度額情報「０」を記憶するエリア４３ｂなどが設けられている。
【００２０】
前記リライトカードリーダ・ライタ２の挿排出口９にリライトカードが挿入されると、前記ＣＰＵ１１はリライトカードリーダ・ライタ２を制御し、記憶部４３ａからポイント情報及び記憶部４３ｂから値引き限度額情報を読取り、前記ＲＡＭ１３に設けられた各情報を記憶するエリアに記憶するようになっている。
【００２１】
図６はリライトカードリーダ・ライタ２にリライトカードが挿入された状態で電子式キャッシュレジスタ１の「値引き」キーが入力されたときの処理の流れを示す図である。ＣＰＵ１１は「値引き」キーの入力を検出するとこの処理を開始する。
【００２２】
ＣＰＵ１１は、先ずステップＳＴ１にて、ＲＡＭ１３の「値引き」キーの入力回数を記憶するエリアを参照して、「値引き」キーの入力が１回目か否かの判断を行なう。この判断で「値引き」キーの入力が１回目だと判断すると、ステップＳＴ２にて、ＲＡＭ１３に記憶されている値引き限度額情報から値引き限度額があるか否か、つまり値引き限度額が０円より大きいか否かを判断し、値引き限度額がある（値引き限度額＞０）と判断すると、ステップＳＴ３にて、その値引き限度額を店用表示部４及び客用表示部５に表示する。また、ステップＳＴ２にて、値引き限度額がない（値引き限度額=０）と判断するとステップＳＴ４にて、値引き金額なしを店用表示部４及び客用表示部５に表示する。その後、「ＲＴＮ」キーの入力を検出すると、この処理を終了する。
【００２３】
一方、ステップＳＴ１にて、「値引き」キーの入力が１回目ではないと判断したときは、ステップＳＴ５にて、ＲＡＭ１３の値引き金額を置数するエリアに値引き金額が置数されているか否かを判断する。この判断で、値引き金額が置数されていると判断したときは、ステップＳＴ６にて、この値引き金額が正しいか否かを判断する。ここで、値引き金額が値引き対象の金額，つまり商品販売取引の代金以下でかつ値引き限度額以下の場合には、値引き金額が正しいと判断する。そして、ステップＳＴ７にて、商品登録が行なわれた商品販売取引の代金から値引き金額を減ずる処理を行なう。また、ステップＳＴ８にて、ＲＡＭ１３に記憶されている値引き限度額を上記値引き金額分の金額を減算した金額に更新する。その後、「ＲＴＮ」キーの入力を検出すると、この処理を終了する。
【００２４】
なお、ステップＳＴ５の判断にて、ＲＡＭ１３の値引き金額を置数するエリアに値引き金額が置数されていないと判断したとき、または、ステップＳＴ６にて値引き金額が正しくないと判断したとき、つまり、値引き金額が値引き限度額より大きいまたは商品販売取引の代金より大きかった場合には、ステップＳＴ９にて、店用表示部５へのエラー表示を行なうなどのエラー処理を行ない、その後、「ＲＴＮ」キーの入力を検出することによりこの処理を終了するものとなっている。
【００２５】
図７は電子式キャッシュレジスタ１の締め処理を行なうときにＣＰＵ１１が実行する制御の流れを示す図である。ＣＰＵ１１は「締め」キーの入力を検出するとこの処理を開始する。
【００２６】
ＣＰＵ１１は先ず、ステップＳＴ１１にて、「締め」キーの入力を検出するとドロワ開放機構制御部１６を制御しドロワ開放機構１７によりドロワ６を開放し、また、印字制御部１９を制御して印字部２０によりレシートへの印字を行なうなどの締め処理を行なう。
【００２７】
そして、ステップＳＴ１２にて、締め処理を行ったときの登録した商品の合計金額から今回のポイントを算出し、ＲＡＭ１３に記憶されている総ポイント情報を記憶するエリアに今回のポイントを加算して記憶する。そして、ステップＳＴ１３にて、加算された総ポイントが前記値引き基準テーブル２３の値引き基準ポイント「１００」を超えているか否かを判断する。この判断で加算された総ポイントが値引き基準ポイント「１００」を超えていると判断すると、ステップＳＴ１４にて、値引き金額「５００」を値引き基準テーブル２１から読出しＲＡＭ１３の値引き限度額情報を記憶するエリアに「５００」を加算するとともに総ポイント情報を記憶するエリアから「１００」を減算して記憶する。このステップＳＴ１４の処理を総ポイントが値引き基準ポイント「１００」以下になるまで行なう（値引き限度額算出手段）。
【００２８】
ステップＳＴ１３の判断にて、値引き基準ポイント「１００」を超えていないと判断すると、ステップＳＴ１５にて、ＲＡＭ１３の値引き限度額情報を記憶するエリアに値引き限度額があるか否かを判断する。この判断で値引き限度額があると判断すると、ステップＳＴ１６にて、リライトカードリーダ・ライタ２の印刷制御部３２を制御してリライトカードの表示部４２にその値引き限度額を値引き券情報として印刷させる（値引き限度額印刷制御手段，値引き限度額書換手段）。
【００２９】
これに対し、ステップＳＴ１５にて値引き限度額がないと判断した場合には、リライトカードリーダ・ライタ２の印刷制御部３２を制御してＲＯＭ１３に記憶されたコマーシャルメッセージ「ありがとうございました。」をリライトカードの表示部４２に印刷させる。
【００３０】
ステップＳＴ１６にて値引き限度額の値引き券印刷処理又はステップＳＴ１７にてコマーシャルメッセージの印刷処理が終了すると、ステップＳＴ１８にて今回のポイントと処理された総ポイントとをリライトカードリーダ・ライタ２の印刷制御部３２を制御してリライトカードの表示部４２に印刷する。
【００３１】
続いて、ステップＳＴ１９にて、リライトカードリーダ・ライタ２の書込み制御部３６を制御して記憶部４３に、総ポイント情報及び値引き限度額情報を書込ませる。その後、ステップＳＴ２０にて、排出機構制御部３８を制御し排出機構を動作させることによりリライトカードを挿排出口８から排出させてこの処理を終了する。
【００３２】
以下、このように構成されるリライトカードシステムにおいて、顧客が店舗などで値引きサービスを受ける場合で説明する。
【００３３】
顧客は店舗において初めて商品の購入をする際に顧客用のリライトカードを作成する。そして、顧客は店舗において商品を購入する度に電子式キャッシュレジスタ１のキャッシャにリライトカードを渡し、キャッシャは顧客から受け取ったリライトカードをリライトカードリーダ・ライタ２に挿入する。この挿入されたリライトカードは、商品の登録が終了した後キャッシャの「締め」キーの入力により締め処理が行われると購入金額に応じてポイントが加算されるなどの処理がされる。このように、顧客は商品を購入するにつれて顧客用のリライトカードには総ポイントが加算されていく。
【００３４】
この顧客のリライトカードに印刷される総ポイントが６０ポイント貯まっているときに２０ポイント分の商品を購入すると、図３で説明したリライトカード４１となる。つまり、リライトカード４１の表示部４２に今回のポイント「２０Ｐ」、総ポイント「８０Ｐ」、コマーシャルメッセージが印刷され、記憶部４３ａにポイント情報「８０」、４３ｂに値引き限度額情報「０」の情報が記憶されている。
【００３５】
次に、顧客が３０ポイント分の商品を購入するときに、リライトカード４１をキャッシャに渡した場合について説明する。キャッシャはリライトカード４１をリライトカードリーダ・ライタ２に挿入する。そして、商品の登録が終了した後キャッシャの「締め」キーの入力により締め処理が行われると、店用表示部４及び客用表示部５は値引き金額なしが表示される。このとき、電子式キャッシュレジスタ１においては、新たな総ポイントが「１１０」となるので、「１００」が減算され総ポイントが「１０」となり、値引き限度額が「５００」となる処理がされる。そして、リライトカードリーダ・ライタ２から処理されたリライトカード４４が排出される。
【００３６】
図８（ａ）はこのリライトカード４４を示していて、リライトカード４４の表示部４５には、今回のポイント「３０Ｐ」、総ポイント「１０Ｐ」、値引き券５００円が印刷されている。また、記憶部４６ａに総ポイント情報「１０」、４６ｂに値引き限度額情報「５００」が記憶されている。
【００３７】
次に、このリライトカード４４を用いて顧客が３００円の商品を購入する場合について説明する。顧客はリライトカード４２をキャッシャに渡し、キャッシャはリライトカード４４をリライトカードリーダ・ライタ２に挿入する。そして、顧客がリライトカード４４の値引き券「５００円」から支払うことを希望すると、キャッシャは「値引き」キーを入力して店用表示部４及び客用表示部５は値引き限度額「５００円」を表示する。すると、キャッシャはキーボード７を使用して「３００」を入力後「値引き」キーを入力する。このとき、電子式キャッシュレジスタ１においては、値引き金額「５００円」から「３００円」が減算されて値引き限度額は「２００円」となる処理がされる。そして、リライトカードリーダ・ライタ２から処理されたリライトカード４７が排出される。
【００３８】
図８（ｂ）はこのリライトカード４７を示していて、リライトカード４７の表示部４８には、今回のポイント「０Ｐ」、総ポイント「１０Ｐ」、値引き券２００円が印刷されている。また、記憶部４９ａに総ポイント情報「１０」、４９ｂに値引き限度額情報「２００」が記憶されている。
【００３９】
この実施の形態によると、リライトカード４４、４７には、総ポイント数だけでなく値引きサービスに供用できる値引き限度額が値引き券情報として印刷されるので、顧客は現在どれだけの値引きサービスを受けることができるのかを明確に知ることができる。
【００４０】
また、リライトカードの記憶部４６ａ、４９ａに値引き限度額情報が記録され、この値引き限度額情報に基づいて値引きが処理されるので、レシート用紙を用いて値引き券を印字発行したり、予め特別な値引き券などを用意したりする必要がなくなる。これにより、顧客が値引き券を持ってくるのを忘れたり、または、紛失したりするなどして値引きサービスが受けられないということをなくすことができる。
【００４１】
さらに、値引き券が５００円のときに３００円の商品を購入したときに、２００円の値引き限度額情報を記憶部４９ａに残すことができるので、顧客は従来の値引き券のように、５００円の値引き券で３００円の買い物をすると２００円の釣りがもらえず損をするということをなくすことができる。つまり、次回の買い物時に２００円の値引き券として使用することにより５００円の値引き券により５００円分の値引きサービスを必ず受けることができる。
【００４２】
（第２の実施の形態）
次に、第２の実施の形態について述べる。なお、前述した実施の形態と同一の部分には同一の符号を付し詳細な説明は省略する。
前記実施の形態と異なるのは、ＲＯＭ１２に記憶される値引き基準テーブル２１が値引き基準テーブル５１に換えられている。この値引き基準テーブル５１は、図９に示すように、総ポイント「１００Ｐ」のときは「５００円」、総ポイント「１８０Ｐ」のときは「１０００円」、総ポイント「２４０Ｐ」のときは「１５００円」、…のように、ポイントが多くなるほど「５００円」の値引きサービスが受けられるレンジが狭くなっている。
【００４３】
また、電子式キャッシュレジスタ１の締め処理を行なうときにＣＰＵ１１が実行する制御の流れを前記ステップＳＴ１１〜２０に換えて、図１０で示すステップＳＴ３１〜ＳＴ４５で説明する制御の流れにしたものである。ＣＰＵ１１は「締め」キーの入力を検出するとこの処理を開始する。
【００４４】
先ず、ステップＳＴ３１にて、「締め」キーの入力を検出するとドロワ開放機構制御部１６を制御しドロワ開放機構１７によりドロワ６を開放し、また、印字制御部１９を制御して印字部２０によりレシートへの印字を行なうなどの締め処理を行なう。
【００４５】
そして、ステップＳＴ３２にて、締め処理を行った結果の登録した商品の合計金額から今回のポイントを算出しＲＡＭ１３に記憶されている総ポイントに今回のポイントを加算して新たな総ポイントとして記憶する。
【００４６】
次に、ステップＳＴ３３にて、このＲＡＭ１３に記憶された総ポイントに対応する値引き限度額を前記値引き基準テーブル５１から求める。続いて、ステップＳＴ３４にて、値引き限度額が求められたか否かを判断する。この判断で、値引き限度額が求められたと判断すると、ステップＳＴ３５にて、値引き限度額を店用表示部４及び客用表示部５に表示する。
【００４７】
そして、ステップＳＴ３６にて、キーボード７からの入力を受け付けて値引き券を発行するかを判断する。この判断で、値引き券を発行すると判断すると、ステップＳＴ３７にて、ＲＡＭ１３の値引き限度額情報を記憶するエリアに記憶された値引き限度額に値引き券の発行により生じた値引き限度額を加算して記憶し、ＲＡＭ１３の総ポイント情報を記憶するエリアに記憶された総ポイントから値引き券の発行に使用したポイントを減算して記憶する。そして、ステップＳＴ３８にて、ＲＡＭ１３に記憶された値引き限度額をリライトカードの表示部に値引き券情報として印刷する処理を行なう。
【００４８】
また、ステップＳＴ３４の判断にて、ＲＡＭ１３に記憶された総ポイントに対応する値引き限度額が前記値引き基準テーブル５１から求められないときは、ステップＳＴ３９にて、ＲＡＭ１３の値引き限度額を記憶するエリアに値引き限度額があるかを判断し、値引き限度額がないと判断したときは、ステップＳＴ４０にて、値引き限度額なしを店用表示部４及び客用表示部５に表示し、ステップＳＴにて、リライトカードの表示部にコマーシャルメッセージを印刷する処理を行なう。
【００４９】
また、ステップＳＴ３９の判断にて、ＲＡＭ１３の値引き限度額を記憶するエリアに値引き限度額があると判断したときは、ステップＳＴ４２にて、その値引き限度額を店用表示部４及び客用表示部５に表示する。
【００５０】
ステップＳＴ３８にて値引き券の印刷処理をしたとき、ステップＳＴ３６にて値引き券を発行しないと判断したとき、ステップＳＴ４１にてコマーシャルメッセージの印刷処理をしたとき、ステップＳＴ４２にて値引き限度額を表示したときは、ステップＳＴ４３にて、リライトカードの表示部にＲＡＭ１３に記憶されている総ポイントの印刷処理を行ない、続いて、ステップＳＴ４４にて、リライトカードの記憶部に総ポイント情報及び値引き限度額情報を記憶し、ステップＳＴ４５にて、リライトカードを挿排出口９から排出してこの処理を終了する。
【００５１】
この実施の形態においても前記実施の形態の効果と同様な効果を奏することができる。特に、値引き券の発行処理を行なわない限り総ポイントは減算されないので、顧客は値引き券を発行するタイミングを選択して値引きサービスを受けることができる。
【００５２】
なお、前述した各実施の形態は本発明の会計処理装置を電子式キャッシュレジスタ１に適用した場合について述べたが必ずしもこれに限定するものではなく、リライトカードリーダ２と接続できる会計処理装置であれば適用できるものである。
【００５３】
【発明の効果】
請求項１記載の発明によれば、金銭の値引きサービスを受けるためのポイント情報を記憶したリライトカードを所持してさえいればそのリライトカードに記憶されたポイント情報に応じた値引きサービスを確実に受けることができる会計処理装置を提供できる。
【００５４】
請求項２記載の発明によれば、金銭の値引きサービスを受けるためのポイント情報を記憶したリライトカードを所持してさえいればそのリライトカードに記憶されたポイント情報に応じた値引きサービスを複数回に跨っても確実に受けることができる会計処理装置を提供できる。
【図面の簡単な説明】
【図１】  本発明の実施の形態における会計処理装置の外観を示す図。
【図２】  同実施の形態における電子式キャッシュレジスタの制御ブロック図。
【図３】  同実施の形態における電子式キャッシュレジスタのＲＯＭに記憶されるテーブルを説明する図。
【図４】  同実施の形態におけるリライトカードリーダ・ライタの制御ブロック図。
【図５】  同実施の形態におけるリライトカードの印刷例を示す図。
【図６】  同実施の形態における電子式キャッシュレジスタのＣＰＵが実行する値引き処理の流れを示す図。
【図７】  同実施の形態における電子式キャッシュレジスタのＣＰＵが実行する締め処理の流れを示す図。
【図８】  同実施の形態におけるリライトカードの他の印刷例を示す図。
【図９】  他の実施の形態における電子式キャッシュレジスタのＲＯＭに記憶されるテーブルを説明する図。
【図１０】  他の実施の形態における電子式キャッシュレジスタのＣＰＵが実行する締め処理の流れを示す図。
【符号の説明】
１…電子式キャッシュレジスタ
２…リライトカードリーダ・ライタ
３…シリアルケーブル
７…キーボード
１１…ＣＰＵ
１３…ＲＡＭ
２３,５１…値引き基準テーブル
３３…リライトカードへの印刷部
４１,４４,４７…リライトカード
４２,４５,４８…リライトカードの表示部
４３,４６,４９…リライトカードの記憶部
【図１】
0003806326.tif 000002
【図２】
0003806326.tif 000003
【図３】
0003806326.tif 000004
【図４】
0003806326.tif 000005
【図５】
0003806326.tif 000006
【図６】
0003806326.tif 000007
【図７】
0003806326.tif 000008
【図８】
0003806326.tif 000009
【図９】
0003806326.tif 000010
【図１０】
0003806326.tif 000011